【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】  弾球遊技機の本体枠に着脱自在に固定される遊技盤と、本体枠に開閉自在に支持されて遊技盤を覆うガラス扉と、本体枠の左側部に設けられて遊技盤の下方に位置し、遊技盤の遊技域に向けて遊技球を球射出用溝を介し上方に射出する遊技球射出装置と、遊技球を球払出し装置に向け流下させて誘導する球誘導路からその外部に遊技球を分岐させることにより遊技球の球抜きを行う球抜き装置とを備え、
球射出用溝の左右両側部に、遊技盤の遊技域に到達せずに落下してきた遊技球を回収する回収口をそれぞれ隣接させて形成し、球誘導路を本体枠の背面側に設けて上下方向に向け、この球誘導路を背面視で逆向きのＳ字形に形成した弾球遊技機の球抜き装置であって、
球抜き装置は、球誘導路の湾曲部分における路壁の一部を形成し、球誘導路に滞留している遊技球をその重さにより球払出し装置に案内する第１の案内位置から球誘導路の外部に案内する第２の案内位置に揺動変位可能な案内弁体と、この案内弁体に隣接して配置され、弾球遊技機の正面側からの操作に従い、案内弁体を第１の案内位置に保持する保持位置と第２の案内位置に揺動することを許容する揺動許容位置との間で揺動させる規制部材と、弾球遊技機の本体枠に摺動自在に配設され、規制部材を保持位置と揺動許容位置とに移動させる操作用バーとを含み、
案内弁体をその自重により第１の案内位置に位置するよう形成し、操作バーのバー本体の正面側端部に、バー本体よりも大きな面積を有する操作部を形成し、この操作用バーに対向するガラス扉の対向位置には、操作バーを押圧操作する球抜き棒を遊挿するための操作用孔を形成したことを特徴とする弾球遊技機の球抜き装置。
【請求項２】  外部から送給される遊技球を一時的に貯留する球補給タンクを有し、この球補給タンクから補給される遊技球が２列になって流下するよう球誘導路を区画した請求項１記載の弾球遊技機の球抜き装置。
【請求項３】  規制部材は、案内弁体に当接する当接部と、この当接部を保持位置に常時位置させておくための弾性部とを有し、本体枠の背面側に配設した固定部材に、その本体枠の背面に対して直交する方向で揺動自在に支持されている請求項１又は２記載の弾球遊技機の球抜き装置。
【手続補正２】
【補正対象書類名】明細書
【補正対象項目名】００１１
【補正方法】変更
【補正の内容】
【００１１】
【課題を解決するための手段】
本発明においては上記課題を達成するため、弾球遊技機の本体枠に着脱自在に固定される遊技盤と、本体枠に開閉自在に支持されて遊技盤を覆うガラス扉と、本体枠の左側部に設けられて遊技盤の下方に位置し、遊技盤の遊技域に向けて遊技球を球射出用溝を介し上方に射出する遊技球射出装置と、遊技球を球払出し装置に向け流下させて誘導する球誘導路からその外部に遊技球を分岐させることにより遊技球の球抜きを行う球抜き装置とを備え、
球射出用溝の左右両側部に、遊技盤の遊技域に到達せずに落下してきた遊技球を回収する回収口をそれぞれ隣接させて形成し、球誘導路を本体枠の背面側に設けて上下方向に向け、この球誘導路を背面視で逆向きのＳ字形に形成したものであって、
球抜き装置は、球誘導路の湾曲部分における路壁の一部を形成し、球誘導路に滞留している遊技球をその重さにより球払出し装置に案内する第１の案内位置から球誘導路の外部に案内する第２の案内位置に揺動変位可能な案内弁体と、この案内弁体に隣接して配置され、弾球遊技機の正面側からの操作に従い、案内弁体を第１の案内位置に保持する保持位置と第２の案内位置に揺動することを許容する揺動許容位置との間で揺動させる規制部材と、弾球遊技機の本体枠に摺動自在に配設され、規制部材を保持位置と揺動許容位置とに移動させる操作用バーとを含み、
案内弁体をその自重により第１の案内位置に位置するよう形成し、操作バーのバー本体の正面側端部に、バー本体よりも大きな面積を有する操作部を形成し、この操作用バーに対向するガラス扉の対向位置には、操作バーを押圧操作する球抜き棒を遊挿するための操作用孔を形成したことを特徴としている。
【手続補正３】
【補正対象書類名】明細書
【補正対象項目名】００１２
【補正方法】変更
【補正の内容】
【００１２】
なお、外部から送給される遊技球を一時的に貯留する球補給タンクを有し、この球補給タンクから補給される遊技球が２列になって流下するよう球誘導路を区画することが好ましい。
【手続補正４】
【補正対象書類名】明細書
【補正対象項目名】００１３
【補正方法】変更
【補正の内容】
【００１３】
また、規制部材は、案内弁体に当接する当接部と、この当接部を保持位置に常時位置させておくための弾性部とを有し、本体枠の背面側に配設した固定部材に、その本体枠の背面に対して直交する方向で揺動自在に支持されていることが好ましい。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００７８
【補正方法】変更
【補正の内容】
【００７８】
【発明の効果】
以上のように本発明によれば、球抜き装置に、球誘導路の湾曲部分における路壁の一部を形成し、球誘導路に滞留している遊技球をその重さにより球払出し装置に案内する第１の案内位置から球誘導路の外部に案内する第２の案内位置に揺動変位可能な案内弁体と、この案内弁体に隣接して配置され、弾球遊技機の正面側からの操作に従い、案内弁体を第１の案内位置に保持する保持位置と第２の案内位置に揺動することを許容する揺動許容位置との間で揺動させる規制部材と、弾球遊技機の本体枠に摺動自在に配設され、規制部材を保持位置と揺動許容位置とに移動させる操作用バーとを含ませるので、簡単な構成にしながらも、弾球遊技機の正面側からの簡単な操作により、球抜き作業を迅速かつ簡単に行うことができるという効果がある。
【手続補正１０】
【補正対象書類名】明細書
【補正対象項目名】００７９
【補正方法】変更
【補正の内容】
【００７９】
また、案内弁体は、これの自重によって第１の案内位置に位置し、かつ球誘導路に滞留している遊技球の重さにより第２の案内位置に移動するように形成されているので、案内弁体を第２の案内位置に移動させるための機構を設ける必要がなく、構成を簡素化することができる。
【手続補正１１】
【補正対象書類名】明細書
【補正対象項目名】００８０
【補正方法】変更
【補正の内容】
【００８０】
また、操作用バーが、バー本体の正面側端部に、そのバー本体よりも大きな面積からなる操作部を形成してなるので、球抜き棒に当接する面積を大きくできる結果、確実な操作を行えるとともに、ゴミ等が詰まること等による操作不能状態を回避しやすい。
【手続補正１２】
【補正対象書類名】明細書
【補正対象項目名】００８１
【補正方法】変更
【補正の内容】
【００８１】
また、本体枠に開閉自在に取り付けられたガラス扉には、これの操作用バーに対向する位置に、その操作用バーを押圧操作する球抜き棒を遊挿するための操作用孔が形成されているので、ガラス扉を開閉することなく、球抜き作業を容易に行うことが可能になる。
【手続補正１３】
【補正対象書類名】明細書
【補正対象項目名】００８２
【補正方法】変更
【補正の内容】
【００８２】
また、球誘導路を、球補給タンクから送給される遊技球が２列になって流下するように区画しているので、球払出し装置に対して遊技球を迅速に補給できるとともに、流下する遊技球が球誘導路内で詰まる等の現象を防止することが可能となる。
【手続補正１４】
【補正対象書類名】明細書
【補正対象項目名】００８３
【補正方法】変更
【補正の内容】
【００８３】
さらに、規制部材が、案内弁体に当接する当接部と、この当接部を保持位置に常時位置させておくための弾性部とを有しており、本体枠の背面側に配設した固定部材に、その本体枠の背面に対して直交する方向で揺動自在に支持されているので、部品点数の低減を図ることができるという効果がある。